(57)【要約】【解決手段】本発明は、電子価格表示器、電子価格表示システム及び電子価格表示方法に関する。  実施例による電子価格表示器の制御装置は、 一つ以上の端末機に駆動電源を提供する電源供給部と、前記一つ以上の端末機にディスプレー信号を提供する通信インターフェイスと、前記一つ以上の端末機のうち制御する端末機を選択する端末機選択部及び前記制御する端末機を選択するために前記端末機選択部を制御し、前記ディスプレー信号を生成する制御機とを含むことができる。【選択図】図４
2018073428.tif 000002
【特許請求の範囲】
【請求項１】
一つ以上の端末機に駆動電源を提供する電源供給部と、
前記一つ以上の端末機にディスプレー信号を提供する通信インターフェイスと、
前記一つ以上の端末機のうち制御する端末機を選択する端末機選択部と、
前記制御する端末機を選択するために前記端末機選択部を制御し、前記ディスプレー信号を生成する制御機と、を含む電子価格表示器の制御装置。
【請求項２】
前記端末機選択部は、前記制御する端末機を選択するためにＰＷＭ信号を 一つ以上の端末機に提供する、請求項１に記載の電子価格表示器の制御装置。
【請求項３】
前記端末機選択部は、前記ＰＷＭ信号のデューティ比を設定して前記制御する端末機を選択する、請求項２に記載の電子価格表示器の制御装置。
【請求項４】
制御装置から提供されるディスプレー信号及び駆動電圧に基づいて映像を出力するディスプレー部と、
前記制御装置から提供される駆動電源に基づいて駆動電圧を生成する駆動電源受信部を含み、前記制御装置によって制御される端末機に選択されると前記ディスプレー部に前記駆動電圧を提供する回路部と、を含む端末機。
【請求項５】
前記制御装置の端末機の選択は、ＰＷＭ信号のデューティ比を設定して端末機を選択する、請求項４に記載の端末機。
【請求項６】
前記回路部は、
前記ＰＷＭ信号に基づいて直流電圧を出力する低域通過フィルターと、
前記直流電圧及び 一つ以上の基準電圧に基づいて選択電圧を出力する駆動選択部と、
前記選択電圧に基づいて前記駆動電圧を前記ディスプレー部に提供する駆動スイッチと、
前記制御される端末機に該当する前記選択電圧を前記駆動スイッチに伝達するセットアップスイッチと、をさらに含む、請求項５に記載の端末機。
【請求項７】
前記低域通過フィルターは、抵抗とキャパシターを含む、請求項６に記載の端末機。
【請求項８】
前記駆動電源受信部は、前記駆動電源に基づいて基準電源をさらに生成し、
前記駆動選択部は、電圧分配部と選択電圧生成部を含み、
前記電圧分配部は、前記基準電源に基づいて電圧分配によって前記少なくとも一つの基準電圧を生成し、
前記選択電圧生成部は、前記直流電圧と前記基準電圧に基づいて前記選択電圧を生成する、請求項６に記載の端末機。
【請求項９】
前記選択電圧生成部は、前記直流電圧と前記基準電圧とを比較して前記直流電圧のレベルが前記基準電圧より高ければハイレベルの信号を生成し、前記直流電圧のレベルが前記基準電圧より低ければローレベルの信号を生成する複数の演算増幅器を含み、前記演算増幅器の出力での出力が互いに異なるレベルであれば前記選択電圧を生成する複数のＸＯＲゲートを含む、請求項８に記載の端末機。
【請求項１０】
前記セットアップスイッチは複数のスイッチを含み、
前記複数のスイッチは前記制御される端末機に設定されたスイッチのみオンになり、前記制御される端末機に設定されないスイッチはオフになる、請求項６に記載の端末機。
【請求項１１】
前記複数のスイッチはリードスイッチである、請求項１０に記載の端末機。
【請求項１２】
前記駆動スイッチは、前記選択電圧が入力されるとオンになって前記駆動電圧を前記ディスプレー部に提供する、請求項６に記載の端末機。
【請求項１３】
複数の端末機のセットアップスイッチを設定する段階と、
制御装置から前記複数の端末機に電源を供給する段階と、
前記制御装置で制御する端末機に該当するＰＷＭ信号を前記複数の端末機に提供する段階と、
前記ＰＷＭ信号に基づいて前記制御される端末機の電源を駆動する段階と、
前記制御装置から前記複数の端末機にディスプレー信号を提供する段階と、
前記制御される端末機で前記ディスプレー信号に基づいて映像を出力する段階と、を含む電子価格表示方法。
【請求項１４】
前記セットアップスイッチは複数のスイッチを含み、
前記複数のスイッチは前記制御される端末機に設定されたスイッチのみオンになり、前記制御される端末機に設定されないスイッチはオフになる、請求項１３に記載の電子価格表示方法。
【請求項１５】
前記複数のスイッチはリードスイッチである、請求項１４に記載の電子価格表示方法。
【請求項１６】
前記制御装置で制御する端末機に該当するＰＷＭ信号を前記複数の端末機に提供する段階は、
前記制御装置が制御する端末機ごとに設定されたデューティ比のＰＷＭ信号を前記複数の端末機に提供する、請求項１３に記載の電子価格表示方法。
【請求項１７】
前記複数の端末機は、
前記制御装置によって制御される端末機に選択されると前記ディスプレー部に前記駆動電圧を提供する回路部を含み、
前記回路部は、
前記制御装置から提供される駆動電源に基づいて駆動電圧を生成する駆動電源受信部と、
前記ＰＷＭ信号に基づいて直流電圧を出力する低域通過フィルターと、
前記直流電圧及び少なくとも一つの基準電圧に基づいて選択電圧を出力する駆動選択部と、
前記選択電圧に基づいて前記駆動電圧を前記ディスプレー部に提供する駆動スイッチと、
前記制御される端末機に該当する前記選択電圧を前記駆動スイッチに伝達するセットアップスイッチと、をさらに含む、請求項１６に記載の電子価格表示方法。
【請求項１８】
前記低域通過フィルターは抵抗とキャパシターを含む、請求項１７に記載の電子価格表示方法。
【請求項１９】
前記駆動電源受信部は前記駆動電源に基づいて基準電源をさらに生成し、
前記駆動選択部は電圧分配部と選択電圧生成部を含み、
前記電圧分配部は、前記基準電源に基づいて電圧分配によって前記少なくとも一つの基準電圧を生成し、
前記選択電圧生成部は、前記直流電圧と前記基準電圧に基づいて前記選択電圧を生成する、請求項１７に記載の電子価格表示方法。
【請求項２０】
前記選択電圧生成部は、前記直流電圧と前記基準電圧とを比較し、前記直流電圧のレベルが前記基準電圧より高ければハイレベルの信号を生成し、前記直流電圧のレベルが前記基準電圧より低ければローレベルの信号を生成する複数の演算増幅器を含み、前記演算増幅器の出力での出力が互いに異なるレベルであれば前記選択電圧を生成する複数のＸＯＲゲートを含む、請求項１９に記載の電子価格表示方法。
【発明の詳細な説明】
【技術分野】
【０００１】
本発明は電子価格表示器、電子価格表示システム及び電子価格表示方法に関する。
【背景技術】
【０００２】
一般に、流通の売場の棚には商品が陳列される。商品に対する販売価格、割引情報、単価、原産地などのような情報は、紙ラベルに表示される。前記紙ラベルは、商品情報が変更されたり商品の陳列位置が変更される場合、廃棄される。この時、変更された商品情報を表示するために新しい紙ラベルを生成しなければならない。したがって、前記紙ラベルは、メンテナンスに持続的な費用が発生する。また、前記紙ラベルの使用は、環境的な側面で紙という原資材を浪費するため、環境保護に否定的な影響を及ぼす。
【０００３】
最近、前記紙ラベルに代替するための手段として、電子価格表示器又は前記電子棚ラベルに対する研究及び開発が行われている。前記電子価格表示器は、商品タグと指称される。前記電子価格表示器は、中央管制センター（サーバー）で該当商品の価格関連情報を無線装置（例えば、ゲートウェイ）を介して受信し、前記受信した価格関連情報をディスプレー表示して、リアルタイムに該当商品に対する情報を提供する。
【０００４】
電子価格表示器は、前記電子価格表示器のディスプレーを介して該当商品に対する頻繁な情報の変更や割引情報などをリアルタイムに表示することができる。電子価格表示器は、ユーザの便宜のために、価格情報だけでなく、ストアーシンボル（ｓｔｏｒｅ  ｓｙｍｂｏｌ）、プロモーションイメージ（ｐｒｏｍｏｔｉｏｎ  ｉｍａｇｅ）、バーコード（ｂａｒｃｏｄｅ）、商品の名前（ｐｒｏｄｕｃｔ  ｎａｍｅ）、商品イメージ（ｐｒｏｄｕｃｔ  ｉｍａｇｅ）、原産地情報などの多くの情報を表示することができる。
【０００５】
電子価格表示器に利用されるディスプレーは、バイステーブルコレステリックディスプレー（Ｂｉｓｔａｂｌｅ  Ｃｈｏｌｅｓｔｅｒｉｃ  Ｄｉｓｐｌａｙ，ＢＣＤ）又は電気泳動ディスプレー（ＥｌｅｃｔｒｏＰｈｏｒｅｔｉｃ  Ｄｉｓｐｌａｙ；ＥＰＤ）等がある。
【０００６】
電子価格表示システムは、電子価格表示器を利用してＰＯＳ（Ｐｏｉｎｔ  Ｏｆ  Ｓａｌｅ）装置と連動して商品の価格情報を案内すると共に、単位当たりの価格、セール価格、正常価格、商品の陳列位置の表示、ポイント情報、陳列数量などの多様な販促情報を付加表示して商品購買と売場の運営に役立つシステムである。
【０００７】
一方、電子価格表示システムに備わる電子価格表示器は、前記価格情報などを周期的又は非周期的に継続的にアップデートする。このために、電子価格表示システムは、多数の電子価格表示器タグにタイムスロットを割り当てて、その割り当てられたタイムスロットの間だけ駆動して電子価格表示サーバーとの無線通信を行うように構成されている。電子価格表示システムに備わる電子価格表示器は、設置される売場の大きさに応じて、その個数が急激に増加するようになる。この場合、各電子価格表示器は、電子価格表示サーバーと直接的に通信することができず、コーディネイター（ｃｏｏｒｄｉｎａｔｏｒ）又はルータ（ｒｏｕｔｅｒ）等を介して中継して通信することができる。
【発明の概要】
【発明が解決しようとする課題】
【０００８】
本発明は前述した従来技術の問題点を解決するために考案されたものであって、本発明の目的は、複数の電子価格表示器にマイクロコントロールユニット（ｍｉｃｒｏ  ｃｏｎｔｒｏｌ  ｕｎｉｔ；ＭＣＵ）がなくても駆動できる電子価格表示器、電子価格表示システム及び電子価格表示方法を提供する。
【０００９】
また、本発明は映像出力速度が向上した電子価格表示器、電子価格表示システム及び電子価格表示方法を提供する。
【００１０】
また、本発明は、製造費用が減少した電子価格表示器、電子価格表示システム及び電子価格表示方法を提供する。
【００１１】
また、本発明は少なくとも一つ以上の電子価格表示器を一つの制御装置で制御することができる電子価格表示器、電子価格表示システム及び電子価格表示方法を提供する。
【００１２】
本発明で成そうとする技術的課題は、以上で言及した技術的課題に制限されず、言及していないまた別の技術的課題は、下記の記載から本発明が属する技術分野における通常の知識を有する者にとって明確に理解され得るはずである。
【課題を解決するための手段】
【００１３】
前記のような技術的課題を解決するために、 一つ以上の端末機に駆動電源を提供する電源供給部と、前記一つ以上の端末機にディスプレー信号を提供する通信インターフェイスと、前記少なくとも一つ以上の端末機のうち制御する端末機を選択する端末機選択部；及び前記制御する端末機を選択するために前記端末機選択部を制御し、前記ディスプレー信号を生成する制御機とを含む電子価格表示器の制御装置を提供することができる。
【００１４】
また他の実施例による電子価格表示器の制御装置は、前記端末機選択部は前記制御する端末機を選択するためにＰＷＭ信号を前記少なくとも一つ以上の端末機に提供することができる。
【００１５】
また他の実施例による電子価格表示器の制御装置は、前記端末機選択部は前記ＰＷＭ信号のデューティ比を設定し、前記制御する端末機を選択することができる。
【００１６】
前述した課題の他の解決手段として、制御装置で提供されるディスプレー信号及び駆動電圧に基づいて映像を出力するディスプレー部と、前記制御装置で提供される駆動電源に基づいて駆動電圧を生成する駆動電源受信部を含み、前記制御装置によって制御される端末機に選択されると前記ディスプレー部に前記駆動電圧を提供する回路部とを含む端末機を提供することができる。
【００１７】
また他の実施例による端末機は、前記制御装置の端末機の選択はＰＷＭ信号のデューティ比を設定して端末機を選択する。
【００１８】
また他の実施例による端末機は、前記回路部は、前記ＰＷＭ信号に基づいて直流電圧を出力する低域通過フィルターと、前記直流電圧及び少なくとも一つ以上の基準電圧に基づいて選択電圧を出力する駆動選択部と、前記選択電圧に基づいて前記駆動電圧を前記ディスプレー部に提供する駆動スイッチ及び前記制御される端末機に該当する前記選択電圧を前記駆動スイッチに伝達するセットアップスイッチとをさらに含むことができる。
【００１９】
また他の実施例による端末機は、前記低域通過フィルターは抵抗とキャパシターを含むことができる。
【００２０】
また他の実施例による端末機は、前記駆動電源受信部は前記駆動電源に基づいて基準電源をさらに生成し、前記駆動選択部は電圧分配部と選択電圧生成部とを含み、前記電圧分配部は、前記基準電源に基づいて電圧分配によって前記少なくとも一つ以上の基準電圧を生成し、前記選択電圧生成部は、前記直流電圧と前記基準電圧に基づいて前記選択電圧を生成することができる。
【００２１】
また他の実施例による端末機は、前記選択電圧生成部は前記直流電圧と前記基準電圧とを比較して、前記直流電圧のレベルが前記基準電圧より高ければハイレべルの信号を生成して前記直流電圧のレベルが前記基準電圧より低ければローレベルの信号を生成する複数の演算増幅器を含み、前記演算増幅器の出力での出力が互いに異なるレベルであれば、前記選択電圧を生成する複数のＸＯＲゲートを含むことができる。
【００２２】
また他の実施例による端末機は、前記セットアップスイッチは複数のスイッチを含み、前記複数のスイッチは、前記制御される端末機に設定されたスイッチのみオンになって、前記制御される端末機に設定されないスイッチはオフになり得る。
【００２３】
また他の実施例による端末機は、前記複数のスイッチはリードスイッチであり得る。
【００２４】
また他の実施例による端末機は、前記駆動スイッチは前記選択電圧が入力されるとオンになって、前記駆動電圧を前記ディスプレー部に提供することができる。
【００２５】
前述した課題の別の解決手段として、複数の端末機のセットアップスイッチを設定する段階制御装置で前記複数の端末機に電源を供給する段階と、前記制御装置で制御する端末機に該当するＰＷＭ信号を前記複数の端末機に提供する段階と、前記ＰＷＭ信号に基づいて前記制御される端末機の電源を駆動する段階と、前記制御装置で前記複数の端末機でディスプレー信号を提供する段階と、前記制御される端末機で前記ディスプレー信号に基づいて映像を出力する段階とを含む電子価格表示方法を提供することができる。
【発明の効果】
【００２６】
本発明による電子価格表示器、電子価格表示システム及び電子価格表示方法に対する効果を説明すると次の通りである。
【００２７】
第一に、本発明は複数の電子価格表示器にマイクロコントロールユニット（ｍｉｃｒｏ  ｃｏｎｔｒｏｌ  ｕｎｉｔ；ＭＣＵ）がなくても駆動できる電子価格表示器、電子価格表示システム及び電子価格表示方法を提供することができる。
【００２８】
第二に、本発明は映像出力速度が向上した電子価格表示器、電子価格表示システム及び電子価格表示方法を提供することができる。
【００２９】
第三に、本発明は製造費用が減少した電子価格表示器、電子価格表示システム及び電子価格表示方法を提供することができる。
【００３０】
第四に、本発明は 一つ以上の電子価格表示器を一つの制御装置で制御できる電子価格表示器、電子価格表示システム及び電子価格表示方法を提供することができる。
【００３１】
本発明で得ることができる効果は、以上で言及した効果に制限されず、言及していないまた別の効果は、下記の記載から本発明が属する技術分野における通常の知識を有する者にとって明確に理解されるはずである。
【図面の簡単な説明】
【００３２】
以下に添付される図面は、本発明に関する理解を助けるためのものであって、詳細な説明と共に本発明に対する実施例を提供する。ただし、本発明の技術的特徴が特定の図面に限定されるわけではなく、各図面で開示する特徴は互いに組み合わせて新しい実施例として構成され得る。
【００３３】
【図１】一実施例による電子価格表示器を含むシステムを概略的に説明する図である。
【図２】一実施例による電子価格表示器が配置された例を説明する図である。
【図３】一実施例による電子価格表示器のブロック構成を概略的に説明する図である。
【図４】他の実施例による電子価格表示器を含むシステムを概略的に説明する図である。
【図５】他の実施例による電子価格表示器が配置された例を説明する図である。
【図６】他の実施例による制御装置及び複数の端末機の信号フローチャートである。
【図７】他の実施例による制御装置及び複数の端末機の連結構造を説明する図である。
【図８】他の実施例による制御装置のブロック構成を概略的に説明する図である。
【図９】他の実施例による端末機のブロック構成を概略的に説明する図である。
【図１０】図９の端末機の回路部を説明する図である。
【図１１】図１０の回路部の低域通過フィルターを説明する図である。
【図１２】図１０の回路部の駆動選択部を説明する図である。
【図１３】図１０の回路部のセットアップスイッチを説明する図である。
【図１４】図１０の回路部の駆動スイッチを説明する図である。
【図１５】また他の実施例による電子価格表示器のセットアップスイッチを説明する図である。
【図１６】また他の実施例による電子価格表示方法を説明する順序図である。
【発明を実施するための形態】
【００３４】
次に紹介される実施例は、本発明が属する技術分野における通常の知識を有する者に対して本発明の思想が十分に伝達されるようにするために例として提供されるものである。したがって、本発明は、以下で説明される実施例に限定されずに他の形態で具体化され得る。明細書全体にわたって、同一の参照番号は同一の構成要素を示す。
【００３５】
本発明の利点及び特徴、そしてそれらを達成する方法は添付される図面と共に詳細に後述されている実施例を参照すると明確になるはずである。しかし、本発明は、以下で開示される実施例に限定されるわけではなく、互いに異なる多様な形態で具現される。また、単に本実施例は、本発明の開示が完全であるようにし、本発明が属する技術分野における通常の知識を有する者に対して発明の範疇を完全に知らせるために提供されるものである。また、本発明は請求項の範疇によって定義されるだけである。明細書全体にわたって、同一の参照符号は同一の構成要素を指し示す。
【００３６】
本発明の実施例を説明するにおいて、公知の機能又は構成に対する具体的な説明が本発明の要旨を不必要に曖昧にし得ると判断される場合には、その詳細な説明を省略する。そして、後述される用語は、本発明の実施例での機能を考慮して定義された用語であって、これはユーザ、運用者の意図又は慣例などによって変わり得る。したがって、その定義は本明細書全般にわたる内容を土台として定められるべきである。
【００３７】
空間的に相対的な用語である「下（ｕｎｄｅｒ、ｂｅｌｏｗ、ｂｅｎｅａｔｈ）」、「下部（ｌｏｗｅｒ）」、「上（ｏｎ、ａｂｏｖｅ）」、「上部（ｕｐｐｅｒ）」等は、図面に示されているように一つの素子又は構成要素と他の素子又は構成要素との相関関係を容易に記述するために用いられ得る。空間的に相対的な用語は図面に示されている方向に加えて、使用時又は動作時の素子の互いに異なる方向を含む用語として理解されるべきである。例を挙げると、図面に示されている素子を裏返す場合、他の素子の「下（ｂｅｌｏｗ）」又は「下（ｂｅｎｅａｔｈ）」と記述された素子は他の素子の「上（ａｂｏｖｅ）」に置かれ得る。したがって、例示的な用語である「下」は下と上の方向をいずれも包むことができる。
【００３８】
本明細書で用いられた用語は実施例を説明するためのものであり、したがって本発明を制限するためのものではない。本明細書で、単数形は文言で特別に言及しない限り複数形も含む。明細書で使われる「含む（ｃｏｍｐｒｉｓｅ）」及び／又は「含む（ｃｏｍｐｒｉｓｉｎｇ）」は言及された構成要素、段階、動作及び／又は素子は少なくとも一つの他の構成要素、段階、動作及び／又は素子の存在或いは追加を排除しない。
【００３９】
添付された図面の各ブロックとチャート図の各段階の組合せは、コンピュータプログラムインストラクションによって遂行され得る。これらコンピュータプログラムインストラクションは、汎用コンピュータ、特殊用コンピュータ又はその他のプログラム可能なデータプロセッシング装備のプロセッサーに搭載されるので、コンピュータ又はその他プログラム可能なデータプロセッシング装備のプロセッサーを介して遂行されるそのインストラクションが図面の各ブロック又はチャート図の各段階で説明された機能を遂行する手段を生成するようになる。これらコンピュータプログラムインストラクションは、特定の方式で機能を具現するためにコンピュータ又はその他のプログラム可能なデータプロセッシング装備を指向し得るコンピュータ利用可能又はコンピュータ判読可能メモリーに保存されることも可能であるので、そのコンピュータ利用可能又はコンピュータ判読可能メモリーに保存されたインストラクションは、図面の各ブロック又はチャート図の各段階で説明された機能を遂行するインストラクション手段を内包する製造品目を生産することも可能である。コンピュータプログラムインストラクションは、コンピュータ又はその他のプログラム可能なデータプロセッシング装備上に搭載されることも可能であるので、コンピュータ又はその他のプログラム可能なデータプロセッシング装備上で一連の動作段階が遂行されてコンピュータで実行されるプロセスを生成し、コンピュータ又はその他のプログラム可能なデータプロセッシング装備を遂行するインストラクションは図面の各ブロック及びチャート図の各段階で説明された機能を実行するための段階を提供することも可能である。
【００４０】
また、各ブロック又は各段階は、特定された論理的機能を実行するための少なくとも一つの実行可能なインストラクションを含むモジュール、セグメント又はコードの一部を示すことができる。また、いくつかの代替実施例では、ブロック又は段階で言及された機能が順序を外れて発生することも可能であることに注目すべきである。例えば、連続して示されている二つのブロック又は段階は、事実、実質的に同時に遂行されることも可能であり、又はそのブロック又は段階がその時々に該当する機能により逆順に遂行されることも可能である。
【００４１】
図１は一実施例による電子価格表示器を含むシステムを概略的に説明するである。
【００４２】
図１を参照すると、電子価格表示器（１１０〜１１２）は、電子棚ラベル（ｅｌｅｃｔｒｏｎｉｃ  ｓｈｅｌｆ  ｌａｂｅｌ、ＥＳＬ）、電子棚ラベル端末機又は製品タグ（ｔａｇ）、ＥＳＬ端末機、端末機又は制御装置と指称され得る。電子価格表示器（１１０〜１１２）は大型マート、一般商店などの売場の棚に装着されて価格などの商品の情報を表示することができる。複数の電子価格表示器（１１０〜１１２）は、多数のゲートウェイ（１２０〜１２２）のうち各電子価格表示器の近くに位置するゲートウェイを介してサーバー（１３０）と通信する。また、電子価格表示器の数が大量である場合、各電子価格表示器は、サーバーと連結したゲートウェイと直接的に通信することができず、コーディネイター（ｃｏｏｒｄｉｎａｔｏｒ；図示せず）又はルータ（ｒｏｕｔｅｒ；図示せず）等を介して中継して通信することができる。
【００４３】
サーバー（１３０）はコンソール（ｃｏｎｓｏｌｅ、図示せず）と連結する。前記コンソールは、前記システムを管理するためのユーザインターフェイスを含む装置を意味する。サーバー（１３０）は、前記コンソールを介してユーザの命令を受信することができる。また、ゲートウェイ（１２０〜１２２）及び電子価格表示器（１１０〜１１２）は前記コンソールを介してユーザの命令を受信することができる。換言すると、ユーザは、前記コンソールを介して電子価格表示器（１１０〜１１２）、ゲートウェイ（１２０〜１２２）、サーバー（１３０）を制御することができる。
【００４４】
サーバー（１３０）は、電子価格表示器（１１０〜１１２）に表示される商品の情報、例えば価格、商品イメージ、割引情報、バーコードなどのデータを、電子価格表示器（１１０〜１１２）に送信することができる。電子価格表示器（１１０〜１１２）は、サーバー（１３０）から受信した前記データをイメージアップデート過程を経て映像を出力することができる。
【００４５】
サーバー（１３０）とゲートウェイ（１２０〜１２２）は有線又は無線で連結することができる。例えば、サーバー（１３０）とゲートウェイ（１２０〜１２２）は、イドネット又はワイファイ（ＷＩ−ＦＩ、ｗｉｒｅｌｅｓｓ  ｆｉｄｅｌｉｔｙ）を介して通信することができる。
ゲートウェイ（１２０〜１２２）と電子価格表示器（１１０〜１１２）は無線で連結することができる。例えば、電子価格表示器（１１０〜１１２）及びゲートウェイ（１２０〜１２２）は、ジグビー（Ｚｉｇｂｅｅ（登録商標））、ワイファイ、ＵＷＢ（Ｕｌｔｒａｎ  Ｗｉｄｅ  Ｂａｎｄ）通信を介して連結することができる。
【００４６】
電子価格表示器（１１０〜１１２）は、周期的にアライブ（ａｌｉｖｅ）信号をサーバー（１３０）に送ることができる。サーバー（１３０）は、電子価格表示器（１１０〜１１２）から受信したアライブ信号を介して電子価格表示器（１１０〜１１２）の作動可否を判断することができる。
【００４７】
電子価格表示器（１１０〜１１２）は、それぞれの固有識別子（ｉｄｅｎｔｉｆｉｅｒ、ＩＤ）を有する。サーバー（１３０）は電子価格表示器（１１０〜１１２）と通信する時、電子価格表示器（１１０〜１１２）の識別子を住所として使用することができる。
【００４８】
識別子は、電子価格表示器（１１０〜１１２）を売場の棚に最初に設置する時、管理者によって設定され得る。管理者はハンドヘルド（ｈａｎｄ−ｈｅｌｄ）装置を使用して電子価格表示器（１１０〜１１２）に識別子を付与することができる。前記識別子は管理者によってサーバー（１３０）に登録され得る。
【００４９】
電子価格表示器（１１０〜１１２）の識別子がサーバー（１３０）に登録されると、管理者はサーバー（１３０）を介して電子価格表示器（１１０〜１１２）に表示されるイメージを変更することができる。また、管理者はサーバー（１３０）を介して電子価格表示器（１１０〜１１２）を制御するための命令を電子価格表示器（１１０〜１１２）に送信することができる。
【００５０】
図２は、一実施例による電子価格表示器が配置された例を説明する図である。
【００５１】
図２は、一実施例による複数の電子価格表示器（２１０〜２１８）が装着された棚（２００）が示されている。棚（２００）は多数の層を具備することができる。各棚には商品が置かれる。棚（２００）の各層下段の前面にはラベル装着台（２２０）が配置され得る。複数の電子価格表示器（２１０〜２１８）はラベル装着台（２２０）に配置され得る。
【００５２】
図３は、一実施例による電子価格表示器のブロック構成を概略的に説明する図である。
【００５３】
図３を参照すると、一実施例による電子価格表示器（３００）は第１通信インターフェイス（３３０）を含むことができる。第１通信インターフェイス（３３０）は回路基板に配置され得る。第１通信インターフェイス（３３０）は、サーバー、ゲートウェイ又はルータから商品情報を受信できる有／無線通信インターフェイスであり得る。
【００５４】
一実施例による電子価格表示器（３００）は、第２通信インターフェイス（３４０）を含むことができる。第２通信インターフェイス（３４０）は回路基板に配置され得る。第２通信インターフェイス（３４０）は外部電子装置（図示せず）から制御信号を受信できる有／無線通信インターフェイスであり得る。外部電子装置（図示せず）は電子価格表示器（３００）とは別途に構成される制御装置であり得る。
【００５５】
一実施例による電子価格表示器（３００）は、ディスプレー（３２０）を含むことができる。ディスプレー（３２０）はイメージアップデートの過程を通じて商品の情報、例えば価格、商品イメージ、割引情報、バーコードなどを映像で出力することができる。例えば、電子価格表示器（３００）はバイステーブルコレステリックディスプレー（ｂｉｔｓｔａｂｌｅ  ｃｈｏｌｅｓｔｅｒｉｃ  ｄｉｓｐｌａｙ、ＢＣＤ）又は電気泳動ディスプレー（ＥｌｅｃｔｒｏＰｈｏｒｅｔｉｃ  Ｄｉｓｐｌａｙ；ＥＰＤ）等を含むことができる。
【００５６】
一実施例による電子価格表示器（３００）は、制御機（３１０）を含むことができる。制御機（３１０）は回路基板に配置され得る。制御機（３１０）はマイクロコントロールユニット（ｍｉｃｒｏ  ｃｏｎｔｒｏｌ  ｕｎｉｔ；ＭＣＵ）であり得る。制御機（３１０）はサーバー、ゲートウェイ又はルータから提供されるデータ又は命令に基づいて電子価格表示器（１０）の全体動作に必要な通信機能、表示制御機能、情報保存機能などを制御することができる。
【００５７】
一実施例による電子価格表示器（３００）はメモリー（３５０）を含むことができる。
メモリー（３５０）は回路基板に配置され得る。メモリー（３５０）は電子価格表示器（３００）それぞれの固有識別子（ｉｄｅｎｔｉｆｉｅｒ、ＩＤ）、電子価格表示器（３００）に表示するための映像又はイメージを保存することができる。
【００５８】
一実施例による電子価格表示器（３００）は、バッテリー（３６０）を含むことができる。バッテリー（３６０）はディスプレー（３２０）、第１通信インターフェイス（３３０）、第２通信インターフェイス（３４０）等に電源を供給することができる。また、バッテリー（３６０）は充電又は非充電用バッテリーが電子価格表示器（３００）内に配置され得、外部電源が供給される電源受信部の形態で配置され得る。
【００５９】
しかし、一実施例による電子価格表示器（３００）は、単価が高いマイクロコントロールユニット（ＭＣＵ）を利用するので製品価格の上昇の要因になり得る。また、一実施例による電子価格表示器（３００）の場合、電子価格表示システムで電子価格表示器の数量が増加するほどサーバーと通信するチャンネル数が増加するようになる。チャンネル数が増加すると、通信衝突（ｃｏｌｌｉｓｉｏｎ）の発生頻度が上昇して誤り発生率が増加し得、映像出力のためのアップデートの速度が遅延する問題点がある。
【００６０】
図４は、他の実施例による電子価格表示器を含むシステムを概略的に説明する図である。
【００６１】
図４を参照すると、電子価格表示器は、電子棚ラベル（ｅｌｅｃｔｒｏｎｉｃ  ｓｈｅｌｆ  ｌａｂｅｌ、ＥＳＬ）、電子棚ラベル端末機、製品タグ（ｔａｇ）、ＥＳＬ端末機、端末機又は制御装置と指称され得る。特に、他の実施例による電子価格表示器は、制御装置（４１０）と端末機（４２１〜４２３）に区分され得る。より具体的に、制御装置（４１０）は端末機を制御するマスター装置であり得る。端末機（４２１〜４２３）は、制御装置によって制御されるスレーブ装置であり得る。また、電子価格表示器を制御装置と端末機に区分したが、これに制限されるわけではなく、制御装置と端末機が一体に結合したり、同一の動作を遂行できる一つの装置で構成され得る。
【００６２】
端末機（４２１〜４２３）は大型マート、一般商店などの売場の棚に装着されて価格などの商品の情報を表示することができる。また、少なくとも一つ以上の端末機（４２１〜４２３）は一つの制御装置（４１０）によって制御され得る。すなわち、第１端末機ないし第ｎ端末機（ｎは２以上の自然数）は、一つの制御装置（４１０）から電源供給信号、ＰＷＭ信号、ディスプレー信号が提供されて映像を表示することができる。
【００６３】
制御装置（４１０）は、 一つ以上の端末機（４２１〜４２３）を制御することができる。また、制御装置（４１０）は 一つ以上のゲートウェイ（４３０）を介してサーバー（４４０）と通信する。よって、他の実施例はサーバーと連結するゲートウェイ、コーディネイター（ｃｏｏｒｄｉｎａｔｏｒ；図示せず）又はルータ（ｒｏｕｔｅｒ；図示せず）の個数を減らすことができるため、電子価格表示器全体のシステムの製作費用を減少させることができる。また、他の実施例はサーバーと通信する通信チャンネルを減らせるので通信衝突（ｃｏｌｌｉｓｉｏｎ）の発生頻度を減らすことができ、誤りの発生確率を減少することができる。また、他の実施例は活用可能な通信チャンネルが増加するので通信性能が良くなり、端末機の映像出力アップデート速度が増加し得る。
【００６４】
サーバー（４４０）はコンソール（ｃｏｎｓｏｌｅ、図示せず）と連結する。前記コンソールは前記システムを管理するためのユーザインターフェイスを含む装置を意味する。サーバー（４４０）は、前記コンソールを介してユーザの命令を受信することができる。また、ゲートウェイ（４３０）及び電子価格表示器のうち制御装置（４１０）は前記コンソールを介してユーザの命令を受信することができる。換言すると、ユーザは前記コンソールを介して電子価格表示器のうち制御装置（４１０）、ゲートウェイ（４３０）、サーバー（４４０）を制御することができる。
【００６５】
サーバー（４４０）は、電子価格表示器のうち端末機（４２１〜４２３）に表示される商品の情報、例えば価格、商品イメージ、割引情報、バーコードなどの映像データを、電子価格表示器のうち制御装置（４１０）に送信することができる。制御装置（４１０）は、サーバー（４４０）から受信した映像データに基づいて、 一つ以上の端末機（４２１〜４２３）に電源供給信号、ＰＷＭ信号、ディスプレー信号を提供することができる。少なくとも一つ以上の端末機（４２１〜４２３）は電源供給信号、ＰＷＭ信号、ディスプレー信号に基づいて、イメージアップデートの過程を経て映像を出力することができる。
【００６６】
サーバー（４４０）とゲートウェイ（４３０）は、有線又は無線で連結することができる。例えば、サーバー（４４０）とゲートウェイ（４３０）は、イドネット又はワイファイ（ＷＩ−ＦＩ、ｗｉｒｅｌｅｓｓ  ｆｉｄｅｌｉｔｙ）を介して通信することができる。
【００６７】
ゲートウェイ（４３０）と電子価格表示器のうち制御装置（４１０）は無線に連結することができる。例えば、制御装置（４１０）及びゲートウェイ（４３０）は、ジグビー（Ｚｉｇｂｅｅ）、ワイファイ、ＵＷＢ（Ｕｌｔｒａｎ  Ｗｉｄｅ  Ｂａｎｄ）通信を介して連結することができる。
【００６８】
電子価格表示器のうち制御装置（４１０）は、周期的にアライブ（ａｌｉｖｅ）信号をサーバー（４４０）に送ることができる。サーバー（４４０）は、電子価格表示器の制御装置（４１０）から受信したアライブ信号を介して制御装置（４１０）又は端末機（４２１〜４２３）の作動可否を判断することができる。
【００６９】
電子価格表示器は、それぞれそれぞれ固有の識別子（ｉｄｅｎｔｉｆｉｅｒ、ＩＤ）を有する。より具体的には、電子価格表示器のうち制御装置（４１０）は第１固有の識別子を含む。また電子価格表示器のうち端末機（４２１〜４２３）は第２固有の識別子を含む。サーバー（４４０）は制御装置（４１０）と通信する時、第１固有の識別子を住所として使用することができる。第１固有の識別子は制御装置（４１０）を売場の棚に最初に設置する時、管理者によって設定され得る。管理者はハンドヘルド（ｈａｎｄ−ｈｅｌｄ）装置を使用して制御装置（４１０）に第１固有の識別子を付与することができる。前記第１固有の識別子は管理者によってサーバー（４４０）に登録され得る。また、制御装置（４１０）は端末機（４２１〜４２３）を制御する時、第２固有の識別子を住所として使用することができる。第２固有の識別子は端末機（４２１〜４２３）を売場の棚に最初に設置する時、管理者によって設定され得る。管理者は端末機（４２１〜４２３）のセットアップスイッチを使用して端末機（４２１〜４２３）の第２固有の識別子を付与することができる。前記第２固有の識別子は管理者によって、サーバー（４４０）又は制御装置（４１０）に登録され得る。
【００７０】
電子価格表示器の固有の識別子がサーバー（１３０）又は制御装置（４１０）に登録されると、管理者はサーバー（４４０）を介して端末機（４２１〜４２３）に表示されるイメージを変更することができる。より具体的に、管理者はサーバー（４４０）を介して端末機（４２１〜４２３）を制御するための命令を制御装置（４１０）に送信することができる。制御装置（４１０）はサーバー（４４０）から受信された制御命令に基づいて、端末機（４２１〜４２３）を制御することができる。
【００７１】
図５は、他の実施例による電子価格表示器が配置された例を説明する図である。
【００７２】
図５は、他の実施例による電子価格表示器が装着された棚（５００）が示されている。棚（５００）は多数の層を具備することができる。各層には商品が置かれ得る。棚（５００）の各層下段の前面にはラベル装着台（５３０）が配置され得る。電子価格表示器は、マスター装置の制御装置（５１１）とスレーブ装置の 一つ以上の端末機（５２１〜５２４）を含むことができる。また、制御装置（５１１）は、ラベル装着台（５３０）の一側に配置され得る。 一つ以上の端末機（５２１〜５２４）は、制御装置（５１１）を基準として一列に配置され得る。
【００７３】
図６は、他の実施例による制御装置及び複数の端末機の信号フローチャートである。
【００７４】
図６を参照すると、制御装置（６１１）は第１端末機ないし第４端末機（６２１〜６２４）に電源を供給することができる（Ｓ１０５）。この場合、第１端末機ないし第４端末機（６２１〜６２４）は電源の供給を受けるが、駆動電源通路の駆動スイッチがオフ状態であるため、駆動しない状態である。
【００７５】
制御装置（６１１）は第１端末機ないし第４端末機（６２１〜６２４）にＰＷＭ信号を提供することができる（Ｓ１１０）。ＰＷＭ信号はパルス幅変調（Ｐｕｌｓｅ  Ｗｉｄｔｈ  Ｍｏｄｕｌａｔｉｏｎ）信号であり得る。
【００７６】
制御装置（６１１）は、ＰＷＭ信号のデューティ比を調節することができる。制御装置（６１１）はＰＷＭ信号のデューティ比を調節して、 一つ以上の端末機のうち制御対象である端末機を選択的に駆動させることができる。より具体的に、制御装置（６１１）は複数の端末機それぞれに該当するデューティ比を設定してＰＷＭ信号のデューティ比を調節して、制御する端末機に該当するデューティ比でＰＷＭ信号を提供することができる。例えば、図６のように、制御装置（６１１）は第１端末機ないし第４端末機（６２１〜６２４）のうち第３端末機（６２３）を駆動させるためのデューティ比でＰＷＭ信号を提供することができる。
【００７７】
複数の端末機は、ＰＷＭ信号に基づいて、映像を出力するための電源が駆動され得る（Ｓ１１５）。各端末機が設定されたデューティ比にともなうＰＷＭ信号に基づいて、選択的に動作する内容は後述する。例えば、第１端末機ないし第４端末機（６２１〜６２４）のうち第３端末機（６２３）は制御装置（６１１）から提供されたＰＷＭ信号に基づいて、駆動スイッチがオン状態になることができ、駆動電源をディスプレー部に提供することができる。
【００７８】
制御装置（６１１）は、第１端末機ないし第４端末機（６２１〜６２４）でディスプレー信号を提供することができる（Ｓ１２０）。ディスプレー信号は、ディスプレー部の構成に応じて一つ又は２個以上の信号で構成され得る。例えば、ディスプレー部が電気泳動ディスプレーである場合、ディスプレー信号はゲート信号とソース信号を含むことができる。
【００７９】
複数の端末機のうち制御対象となる端末機は、ディスプレー信号に基づいて映像を出力することができる（Ｓ１２５）。例えば、第１端末機ないし第４端末機（６２１〜６２４）のうち第３端末機（６２３）は提供されたディスプレー信号に基づいて、ディスプレー部で映像を出力することができる。
【００８０】
図７は、他の実施例による制御装置及び複数の端末機の連結構造を説明する図である。
【００８１】
図７を参照すると、他の実施例による制御装置（７１１）は 一つ以上の端末機と電気的に連結することができる。より具体的に制御装置（７１１）は、第１信号（ｓｉｇ１）を第１連結線で 一つ以上の端末機と連結することができる。第１信号（ｓｉｇ１）は電源であり得る。より具体的に、第１信号（ｓｉｇ１）はディスプレー部に電源を供給するための駆動電源又は基準電圧分配のための基準電源を含むことができる。第１連結線は図面において一つで示したが、これに制限されるわけではなく複数個であり得る。例えば、制御装置（７１１）は第１端末機ないし第４端末機（７２１〜７２４）と第１連結線に連結して駆動電源又は基準電源を含む第１信号（ｓｉｇ１）を供給することができる。
【００８２】
また、制御装置（７１１）は第２信号（ｓｉｇ２）を第２連結線で 一つ以上の端末機と連結することができる。第２信号（ｓｉｇ２）はＰＷＭ信号であり得る。より具体的に第２信号（ｓｉｇ２）は前述したデューティ比が調節されたＰＷＭ信号であり得る。より具体的に、第２信号（ｓｉｇ２）は駆動される端末機を選択するのに利用され得る。第２連結線は図面で一つとして示したが、これに制限されるわけではなく複数であり得る。例えば、制御装置（７１１）は第１端末機ないし第４端末機（７２１〜７２４）と第２連結線に連結してＰＷＭ信号を含む第２信号（ｓｉｇ２）を供給することができる。
【００８３】
また、制御装置（７１１）は、第３信号（ｓｉｇ３）を第３連結線で 一つ以上の端末機と連結することができる。第３信号（ｓｉｇ３）はデータ信号であり得る。より具体的に、第３信号（ｓｉｇ３）は前述したディスプレー部で映像を出力するためのデータ信号であり得る。より具体的に、第３信号（ｓｉｇ３）の通信方式はＳＰＩ（Ｓｅｒｉａｌ  Ｐｅｒｉｐｈｅｒａｌ  Ｉｎｔｅｒｆａｃｅ）通信方式であり得る。すなわち、４個の連結ピンで構成され得、それぞれの連結ピンはそれぞれの連結線によって信号を提供することができる。例えば、前記ＳＰＩ通信はＣＳ（ｃｈｉｐ  ｓｅｌｅｃｔ）ピン、ＭＯＳＩ（ｍａｓｔｅｒ  ｏｕｔ  ｓｌａｖｅ  ｉｎ）ピン、ＭＩＳＯ（ｍａｓｔｅｒ  ｉｎ  ｓｌａｖｅ  ｏｕｔ）ピン、ＣＬＫ（ｃｌｏｃｋ）ピンを含むことができる。したがって、第３連結線は、図面で一つとして示したがこれに制限されるわけではなく複数であり得る。例えば、制御装置（７１１）は第１端末機ないし第４端末機（７２１〜７２４）と第３連結線に連結してディスプレー信号を含む第２信号（ｓｉｇ２）をＳＰＩ通信方式で供給することができる。
【００８４】
図８は、他の実施例による制御装置のブロック構成を概略的に説明する図である。
【００８５】
図８を参照すると、他の実施例による電子価格表示器のうち制御装置（８００）は第１通信インターフェイス（８１１）を含むことができる。第１通信インターフェイス（８１１）は回路基板に配置され得る。第１通信インターフェイス（８１１）は、サーバー、ゲートウェイ又はルータから商品情報を受信できる有／無線通信インターフェイスであり得る。
【００８６】
他の実施例による制御装置（８００）は、第２通信インターフェイス（８１２）を含むことができる。第２通信インターフェイス（８１２）は回路基板に配置され得る。第２通信インターフェイス（８１２）は 一つ以上の端末機でディスプレー信号を送信できるＳＰＩ通信インターフェイスであり得る。第２通信インターフェイス（８１２）で提供されるディスプレー信号は前述した前述した第３信号（ｓｉｇ３）であり得る。
【００８７】
他の実施例による制御装置（８００）は、第３通信インターフェイス（８１３）を含むことができる。第３通信インターフェイス（８１３）は回路基板に配置され得る。第３通信インターフェイス（８１３）は外部電子装置（図示せず）から制御信号を受信することができる有／無線通信インターフェイスであり得る。外部電子装置（図示せず）は電子価格表示器とは別途に構成される制御装置であり得る。
【００８８】
他の実施例による制御装置（８００）は、ディスプレーを含まないことがある。また、制御装置（８００）は必要に応じてディスプレー（図示せず）を含むことができる。ディスプレー（図示せず）はイメージアップデート過程を通じて、商品の情報、例えば価格、商品イメージ、割引情報、バーコードなどを映像で出力することができる。例えば、制御装置（８００）は、バイステーブルコレステリックディスプレー（ｂｉｔｓｔａｂｌｅ  ｃｈｏｌｅｓｔｅｒｉｃ  ｄｉｓｐｌａｙ、ＢＣＤ）又は電気泳動ディスプレー（ＥｌｅｃｔｒｏＰｈｏｒｅｔｉｃ  Ｄｉｓｐｌａｙ；ＥＰＤ）等を含むことができる。
【００８９】
他の実施例による制御装置（８００）は、制御機（８１０）を含むことができる。制御機（８１０）は回路基板に配置され得る。制御機（８１０）はマイクロコントロールユニット（ｍｉｃｒｏ  ｃｏｎｔｒｏｌ  ｕｎｉｔ；ＭＣＵ）であり得る。制御機（８１０）はサーバー、ゲートウェイ又はルータから提供されるデータ又は命令に基づいて、制御装置（８００）及び 一つ以上の端末機の全体動作に必要な通信機能、表示制御機能、情報保存機能などを制御することができる。また、制御機（８１０）は映像を出力する端末機を選択するために端末機選択部（８１５）から提供されるＰＷＭ信号のデューティ比を調節することができる。
【００９０】
他の実施例による制御装置（８００）は、メモリー（８１６）を含むことができる。メモリー（８１６）は回路基板に配置され得る。メモリー（８１０）は制御装置（８００）の第１固有識別子、 一つ以上の端末機それぞれの第２固有識別子、制御装置（８００）又は端末機に表示するための映像又はイメージを保存することができる。
【００９１】
他の実施例による制御装置（８００）は、電源受信部（８１７）を含むことができる。電源受信部（８１７）は、ディスプレー（８１０）、第１通信インターフェイス（８１１）、第２通信インターフェイス（８１２）、第３通信インターフェイス（８１３）、端末機選択部（８１５）、電源供給部（８１４）等に電源を供給することができる。また、電源受信部（８１７）は充電又は非充電用バッテリーが電子価格表示器（３００）内に配置され得、外部電源の供給を受ける形態に配置され得る。
【００９２】
他の実施例による制御装置（８００）は、電源供給部（８１４）を含むことができる。電源供給部（８１４）は電源受信部（８１７）から提供される電源に基づいて、制御装置（８００）と連結した 一つ以上の端末機に電源を供給することができる。電源供給部（８１４）から提供される電源は前述した前述した第１信号（ｓｉｇ１）であり得る。
【００９３】
他の実施例による制御装置（８００）は、端末機選択部（８１５）を含むことができる。端末機選択部（８１５）は 一つ以上の端末機のうち制御される端末機を選択することができる。より具体的に、端末機選択部（８１５）は各端末機で識別されるデューティ比を設定してＰＷＭ信号を提供することができる。端末機選択部（８１５）から提供されるＰＷＭ信号は前述した第２信号（ｓｉｇ２）であり得る。
【００９４】
図９は、他の実施例による端末機のブロック構成を概略的に説明する図であり、図１０は図９の端末機の回路部を説明する図である。
【００９５】
図９を参照すると、他の実施例による電子価格表示器のうち端末機（９００）はディスプレー部（９２０）を駆動させる回路部（９１０）を含むことができる。回路部（９１０）は制御装置の第２信号（ｓｉｇ２）であるＰＷＭ信号に基づいて、端末機の駆動の可否を決めることができる。より具体的に、回路部（９１０）はデューティ比が設定されたＰＷＭ信号に基づいて、端末機の制御の可否又は駆動の可否を決めることができる。また、回路部（９１０）は端末機を制御又は駆動することと決定されると、ディスプレー部（９２０）に駆動電源を提供することができる。ディスプレー部（９２０）は第１信号（ｓｉｇ１）の駆動電源に基づいて、映像を出力することができる。また、ディスプレー部（９２０）は制御装置から第３信号（ｓｉｇ３）のディスプレー信号に基づいて、出力する映像をアップデートすることができる。
【００９６】
図１０を参照すると、端末機の回路部（１０１０）をより具体的に説明するための図である。
【００９７】
回路部（１０１０）は、低域通過フィルター（１０１２）を含むことができる。低域通過フィルター（１０１２）は制御装置から提供されるＰＷＭ信号（ＶＰＷＭ）に基づいて、直流電圧（ＶＤＣ）を生成することができる。生成された直流電圧（ＶＤＣ）はＰＷＭ信号（ＶＰＷＭ）のデューティ比により一定レベルの電圧であり得る。より具体的に、ＰＷＭ信号（ＶＰＷＭ）のデューティ比が増加するほど直流電圧（ＶＤＣ）の電圧レベルは増加し得る。低域通過フィルター（１０１２）がＰＷＭ信号が直流電圧（ＶＤＣ）で生成される原理と関連し、ＰＷＭ信号はフーリエ級数すると複数の高周波信号に分離することができる。複数の高周波信号は低域通過フィルター（Ｌｏｗ  Ｐａｓｓ  Ｆｉｌｔｅｒ）を通過しながら、周波数成分を含む高周波信号はフィルタリングされて直流成分の高周波信号である直流電圧が通過することができる。この時、直流電圧はＰＷＭ信号の大きさとデューティ比に比例し得る。
【００９８】
回路部（１０１０）は、駆動選択部（１０１３）を含むことができる。駆動選択部（１０１３）は、低域通過フィルター（１０１２）で提供された直流電圧（ＶＤＣ）と駆動電源受信部（１０１６）で提供された基準電源（Ｖｒｅｆ）に基づいて、選択電圧（ＶＳ）を出力することができる。より具体的に、駆動選択部（１０１３）は直流電圧（ＶＤＣ）と基準電源（Ｖｒｅｆ）から分配された分配電圧を比較して、直流電圧（ＶＤＣ）の電圧レベルを判断することができる。駆動選択部（１０１３）は直流電圧（ＶＤＣ）の電圧レベルに基づいて、選択電圧（ＶＳ）を提供することができる。より具体的に、駆動選択部（１０１３）は複数の選択電圧を含み、直流電圧（ＶＤＣ）の電圧レベルに応じて設定された選択電圧（ＶＳ）を出力することができる。
【００９９】
回路部（１０１０）は、セットアップスイッチ（１０１４）を含むことができる。セットアップスイッチ（１０１４）は端末機の第２固有の識別子として利用され得る。すなわち、セットアップスイッチ（１０１４）は制御装置によって制御される端末機を区別することができるようにする。より具体的に、セットアップスイッチ（１０１４）は制御装置によって識別されて制御される端末機に応じて異なるように設定され得る。またセットアップスイッチ（１０１４）は受信された選択電圧（ＶＳ）が制御される端末機と設定された選択電圧であれば受信された選択電圧（ＶＳ）を駆動スイッチ（１０１５）に提供することができる。すなわち、セットアップスイッチ（１０１４）は、受信された選択電圧（ＶＳ）が制御装置で制御しようとする端末機に該当しなければ、駆動スイッチ（１０１５）に選択電圧（ＶＳ）を提供しない。
【０１００】
回路部（１０１０）は、駆動電源受信部（１０１６）を含むことができる。駆動電源受信部（１０１６）は制御装置の第１信号（ｓｉｇ２）である駆動電源を受信することができる。駆動電源受信部（１０１６）は駆動電源に基づいて、駆動選択部（１０１３）で基準電源（Ｖｒｅｆ）を提供することができる。また、駆動電源受信部（１０１６）は駆動電源に基づいて、駆動スイッチ（１０１５）に駆動電圧（Ｖｍ）を提供することができる。駆動電圧（Ｖｍ）はディスプレー部（１０２０）を駆動させることができる電圧レベルを含むことができる。回路部（１０１０）は駆動スイッチ（１０１５）を含むことができる。駆動スイッチ（１０１５）はセットアップスイッチ（１０１４）から提供された選択電圧（ＶＳ）及び駆動電源受信部（１０１６）の駆動電圧（Ｖｍ）に基づいて、ディスプレー部（１０２０）に駆動電圧（Ｖｍ）を提供することができる。すなわち、駆動スイッチ（１０１５）は選択電圧（ＶＳ）を受信するとオン（ｏｎ）するようになって駆動電源受信部（１０１６）からの駆動電圧（Ｖｍ）がディスプレー部（１０２０）に提供され得る。
【０１０１】
したがって、実施例は複数の電子価格表示器にマイクロコントロールユニット（ｍｉｃｒｏ  ｃｏｎｔｒｏｌ  ｕｎｉｔ；ＭＣＵ）がなくても駆動できる電子価格表示器を提供することができる。また、実施例は映像出力速度が向上した電子価格表示器を提供することができる。また、実施例は単価が高いマイクロコントロールユニットを使用しないことがあるので、製造費用が減少した電子価格表示器を提供することができる。実施例は 一つ以上の電子価格表示器を一つの制御装置で制御できる電子価格表示器を提供することができる。
【０１０２】
図１１は、図１０の回路部の低域通過フィルターを説明する図である。
【０１０３】
図１１を参照すると、回路部の低域通過フィルターは抵抗（Ｒ）を含むことができる。抵抗（Ｒ）は一端にＰＷＭ信号（ＶＰＷＭ）が受信され、他端に直流電圧（ＶＤＣ）を提供することができる。抵抗（Ｒ）の他端はキャパシター（Ｃ）の一端と連結することができる。
【０１０４】
回路部の低域通過フィルターは、キャパシター（Ｃ）を含むことができる。キャパシター（Ｃ）は一端が抵抗（Ｒ）の他端と連結し、他端が接地（ＧＮＤ）と連結することができる。
【０１０５】
図１２は、図１０の回路部の駆動選択部を説明する図である。
【０１０６】
図１２を参照すると、回路部の駆動選択部は電圧分配部（１２１０）を含むことができる。電圧分配部（１２１０）は駆動電源受信部から提供された基準電源（Ｖｒｅｆ）を複数の抵抗を利用して電圧分配して、複数のレベルの基準電圧を生成することができる。例えば、制御装置によって制御される端末機を４個に設定することができる。この場合、電圧分配部（１２１０）は基準電源（Ｖｒｅｆ）に基づいて第１ないし第１０抵抗（Ｒ１ないしＲ１０）により電圧分配して、５個のレベルの基準電圧を生成することができる。より具体的に、基準電源（Ｖｒｅｆ）が５Ｖが提供されると第１抵抗（Ｒ１）は４ｋΩであり第２抵抗（Ｒ２）は１ｋΩであるので１Ｖの基準電圧を生成し、第３抵抗（Ｒ３）は３ｋΩであり第４抵抗（Ｒ４）は２ｋΩであるので２Ｖの基準電圧を生成し、第５抵抗（Ｒ５）は２ｋΩであり第６抵抗（Ｒ６）は３ｋΩであるので３Ｖの基準電圧を生成し、第７抵抗（Ｒ７）は１ｋΩであり第８抵抗（Ｒ８）は４ｋΩであるので４Ｖの基準電圧を生成し、第９抵抗（Ｒ９）は約０Ωであり第１０抵抗（Ｒ１０）は５ｋΩであるので５Ｖの基準電圧を生成することができる。
【０１０７】
回路部の駆動選択部は、選択電圧生成部（１２２０）を含むことができる。選択電圧生成部（１２２０）は低域通過フィルターから提供された直流電圧（ＶＤＣ）と電圧分配部（１２１０）から提供された複数の基準電圧に基づいて、 一つ以上の選択電圧を生成することができる。より具体的に、選択電圧部（１２２０）は複数の演算増幅器（ＯＰ１〜ＯＰ５）を含むことができる。複数の演算増幅器（ＯＰ１〜ＯＰ５）はそれぞれ正（ｐｏｓｉｔｉｖｅ）の端子に低域通過フィルターから提供された直流電圧（ＶＤＣ）が印加されて、負（ｎｅｇａｔｉｖｅ）の端子に電圧分配部（１２１０）によって互いに異なるレベルの基準電圧が印加され得る。複数の演算増幅器（ＯＰ１〜ＯＰ５）はそれぞれそれぞれの直流電圧（ＶＤＣ）と基準電圧とを比較して、直流電圧が基準電圧より大きければハイレベルの信号を出力することができる。複数の演算増幅器（ＯＰ１〜ＯＰ５）は入力された直流電圧と基準電圧を比較して、直流電圧が基準電圧より小さければローレベルの信号を出力することができる。また、選択電圧部（１２２０）は複数のＸＯＲ（Ｅｘｃｌｕｓｉｖｅ  ＯＲ）ゲート（ＸＯＲ１〜ＸＯＲ４）を含むことができる。複数のＸＯＲゲート（ＸＯＲ１〜ＸＯＲ４）はそれぞれに複数の演算増幅器（ＯＰ１〜ＯＰ５）のうち互いに隣接した２個の演算増幅器の出力が入力され得る。複数のＸＯＲゲート（ＸＯＲ１〜ＸＯＲ４）はそれぞれに入力された２個の演算増幅器の出力のうち一つの出力がハイレベルの信号を出力し、他の出力がローレベルの信号を出力する場合、ハイレベルの選択電圧を出力することができる。複数のＸＯＲゲート（ＸＯＲ１〜ＸＯＲ４）はそれぞれに入力された２個の演算増幅器の出力がいずれもハイレベルの信号を出力したり、すべてローレベルの信号を出力する場合、選択電圧を出力することができないことがある。例えば、第１端末機ないし第４端末機のうち第２端末機を制御するために、第２選択電圧（ＶＳ２）を出力しなければならないと仮定することができる。このために、直流電圧（ＶＤＣ）は２．５Ｖの電圧が印加され得る。電圧分配部（１２１０）で５Ｖの基準電源（Ｖｒｅｆ）が１Ｖ、２Ｖ、３Ｖ、４Ｖ、５Ｖの基準電圧に分配される場合、第１ないし第５演算増幅器（ＯＰ１〜ＯＰ５）は前記基準電圧と２．５Ｖの直流電圧（ＶＤＣ）を比較することができる。第１及び第２演算増幅器（ＯＰ１、ＯＰ２）はハイレベルの信号を出力し、第３ないし第５演算増幅器（ＯＰ３〜ＯＰ５）はローレベルの信号を出力することができる。この場合第１ＸＯＲゲート（ＸＯＲ１）は入力される信号がいずれもハイレベルの信号であるので、選択電圧を出力しなかったりローレベルの信号を出力することができる。第３ＸＯＲゲート（ＸＯＲ３）及び第４ＸＯＲゲート（ＸＯＲ４）は入力される信号がいずれもローレベルの信号であるので、それぞれが選択電圧を出力しなかったりローレベルの信号を出力することができる。第２ＸＯＲゲート（ＸＯＲ２）は一端の入力はハイレベルの信号が入力されて他端の入力はローレベルの信号が入力されるので第２選択電圧（ＶＳ２）を出力することができる。出力された第２選択電圧（ＶＳ２）に基づいて、第２端末機を制御又は駆動することができる。
【０１０８】
図１３は図１０の回路部のセットアップスイッチを説明する図である。
【０１０９】
図１３を参照すると、回路部のセットアップスイッチ（１３１０）は複数の端末機の第２固有の識別子として利用され得る。より具体的に、セットアップスイッチ（１３１０）は、複数のスイッチ（１３１１〜１３１４）を含むことができる。セットアップスイッチ（１３１０）は、設定された端末機に設定された選択電圧を提供することができるように複数のスイッチ（１３１１〜１３１４）のうち設定されたスイッチのみオン（ｏｎ）させて残りスイッチはオフ（ｏｆｆ）させることができる。例えば、第１端末機ないし第４端末機は、それぞれ第１選択電圧ないし第４選択電圧が提供される場合、ディスプレー部を駆動することができるように設定することができる。第２端末機のディスプレー部を駆動しようとするのであれば、第２端末機のセットアップスイッチ（１３１０）のうち第２スイッチ（１３１２）のみオン（ｏｎ）させて残りスイッチ（１３１１、１３１３、１３１４）はオフ（ｏｆｆ）させることができる。よって、第２端末機は第２選択信号（ＶＳ２）が入力される場合、ディスプレー部を駆動するものの、第１端末機を制御するための第１選択信号（ＶＳ１）、第３端末機を制御するための第３選択信号（ＶＳ３）、第４端末機を制御するための第４選択信号（ＶＳ４）が入力されてもディスプレー部を駆動させられないことがある。また、セットアップスイッチ（１３１０）はリードスイッチであり得、これに制限されるわけではない。セットアップスイッチ（１３１０）がリードスイッチである場合に対する説明は後述する。
【０１１０】
図１４は、図１０の回路部の駆動スイッチを説明する図である。
【０１１１】
図１４を参照すると、回路部の駆動スイッチ（１４１０）はＭＥＭＳ、ＢＪＴ又はＭＯＳＦＥＴであり得る。例えば、駆動スイッチ（１４１０）がＭＯＳＦＥＴ（１４１１）である場合、駆動スイッチ（１４１０）はゲート電極にセットアップスイッチの選択電圧（ＶＳ）が印加され、ドレーン電極に駆動電源受信部の駆動電圧（Ｖｍ）が印加され、ソース電極がディスプレー部（１４２０）と連結することができる。すなわち、駆動スイッチ（１４１０）は選択電圧によってオン（ｏｎ）になって駆動電圧（Ｖｍ）をディスプレー部（１４２０）に提供することができる。
【０１１２】
図１５は、また他の実施例による電子価格表示器のセットアップスイッチを説明する図である。
【０１１３】
図１５のまた他の実施例による電子価格表示器のうち端末機のセットアップスイッチは、リードスイッチであり得る。より具体的に、セットアップスイッチの複数のスイッチは、それぞれがリードスイッチであり得る。リードスイッチは磁石など磁性を有した物体が近接するとオン（ｏｎ）になる。したがって、セットアップスイッチは設定された端末機に設定された選択電圧を提供することができるように複数のリードスイッチのうち設定されたリードスイッチのみ磁石を配置してオン（ｏｎ）にすることができる。より具体的に、図１５の（ａ）を参考にすると、ラベル装着台（１５１０）に第２端末機（１５４０）が設置され得るホルダー（１５２０）が配置され得る。ホルダー（１５２０）は第２端末機（１５４０）の第１ないし第４リードスイッチ（１５２１ないし１５２４）に対応して、第１ないし第４磁石スロット（１５２１ないし１５２４）が配置され得る。磁石（１５３０）は第２スロット（１５２２）に配置され得る。図１５の（ｂ）を参考にすると、第２端末機（１５４０）はホルダー（１５２０）と直接的に接触する裏面にセットアップスイッチを含むことができる。セットアップスイッチは第１ないし第４リードスイッチ（１５４１ないし１５４４）を含むことができる。図１５の（ｃ）を参照すると、第２端末機（１５４０）がラベル装着台（１５１０）のホルダー（１５２０）に装着された様子である。第２端末機（１５４０）は、第２磁石スロット（１５２２）に配置された磁石（１５２２）によって、第２リードスイッチ（１５４２）がオン（ｏｎ）となり得る。
【０１１４】
図１６は、また他の実施例による電子価格表示方法を説明する順序図である。
【０１１５】
図１６を参照すると、また他の実施例による電子価格表示方法は、複数の端末機のセットアップスイッチを設定する段階を含むことができる（Ｓ２０５）。すなわち、複数の端末機はセットアップスイッチの複数のスイッチを第２固有の識別子として、駆動又は制御されるために設定された端末機だけ駆動又は制御され得る。
【０１１６】
また他の実施例による電子価格表示方法は、制御装置で複数の端末機に電源を供給する段階を含むことができる（Ｓ２１０）。より具体的に、制御装置は複数の端末機に基準電源又は駆動電圧を提供することができる。
【０１１７】
また他の実施例による電子価格表示方法は、制御装置で制御する端末機に該当するＰＷＭ信号を複数の端末機に提供する段階を含むことができる（Ｓ２１５）。より具体的に、制御装置は制御対象である端末機ごとに設定されたデューティ比のＰＷＭ信号を複数の端末機に提供することができる。
【０１１８】
また他の実施例による電子価格表示方法は、制御される端末機の電源を駆動する段階を含むことができる（Ｓ２２０）。より具体的に、制御される端末機はデューティ比が設定されたＰＷＭ信号に基づいて、ディスプレー部に駆動電圧を提供することができる。
【０１１９】
また他の実施例による電子価格表示方法は、制御装置で複数の端末機にディスプレー信号を提供する段階を含むことができる（Ｓ２２５）。より具体的に、制御装置は制御する端末機の映像をアップデートするために複数の端末機にディスプレー信号を提供することができる。
【０１２０】
また他の実施例による電子価格表示方法は、制御される端末機で映像を出力する段階を含むことができる（Ｓ２３０）。より具体的に、複数の端末機のうち制御される端末機はディスプレー部での駆動電圧及びディスプレー信号に基づいてアップデートされた映像を出力することができる。複数の端末機のうち制御対象でない端末機はディスプレー部から駆動電圧が提供されないので、アップデートされた映像を出力することができる。
【０１２１】
よって、また他の実施例はサーバーと連結されるゲートウェイ、コーディネイター（ｃｏｏｒｄｉｎａｔｏｒ；図示せず）又はルータ（ｒｏｕｔｅｒ；図示せず）の個数を減らすことができるため、電子価格表示器全体システムの製作費用を減少させることができる。また、さらに他の実施例は、サーバーと通信する通信チャンネルを減らせるので通信衝突（ｃｏｌｌｉｓｉｏｎ）の発生頻度を減らすことができて誤り発生の確率が減少し得る。また、さらに他の実施例は活用可能な通信チャンネルが増加するので、通信性能が良くなって端末機の映像出力アップデート速度が増加し得る。
【０１２２】
前述した実施例による方法は、コンピュータで実行されるためのプログラムとして製作され、コンピュータが判読することができる記録媒体に保存され、コンピュータが判読することができる記録媒体の例としてはＲＯＭ、ＲＡＭ、ＣＤ−ＲＯＭ、磁気テープ、フロッピー（登録商標）ディスク、光データ保存装置などがあり、またキャリアウェイブ（例えばインターネットを介した送信）の形態で具現されるものも含む。
【０１２３】
コンピュータが判読することができる記録媒体はネットワークに連結されたコンピュータシステムに分散して、分散方式でコンピュータが判読することができるコードが保存されて実行され得る。そして、前述した方法を具現するための機能的な（ｆｕｎｃｔｉｏｎ）プログラム、コード及びコードセグメントは、実施例が属する技術分野のプログラマーによって容易に推論され得る。
【０１２４】
本発明は、本発明の精神及び必須の特徴を外れない範囲で、その他の特定の形態で具体化されることは当業者にとって自明である。
【０１２５】
したがって、前記の詳細な説明はすべての面で制限的に解釈されてはならず、例示的であると考慮されなければならない。本発明の範囲は添付された請求項の合理的解釈によって決定されなければならず、本発明の等価的範囲内でのすべての変更は本発明の範囲に含まれる。
【図１】
2018073428.tif 000003
【図２】
2018073428.tif 000004
【図３】
2018073428.tif 000005
【図４】
2018073428.tif 000006
【図５】
2018073428.tif 000007
【図６】
2018073428.tif 000008
【図７】
2018073428.tif 000009
【図８】
2018073428.tif 000010
【図９】
2018073428.tif 000011
【図１０】
2018073428.tif 000012
【図１１】
2018073428.tif 000013
【図１２】
2018073428.tif 000014
【図１３】
2018073428.tif 000015
【図１４】
2018073428.tif 000016
【図１５】
2018073428.tif 000017
【図１６】
2018073428.tif 000018